(57)【要約】【課題】高感度で且つ感度のバラツキが小さい感圧センサ及び該感圧センサの製造方法を提供する。【解決手段】  加圧入力を電圧に変換する圧電フィルム；並びに前記電圧を取り出すための電極が複数配設されている第１及び第２の電極付き基板を備え、前記第１及び第２の電極付き基板で、前記圧電フィルムを挟持することにより、前記第１の電極付き基板が受けた力により発生した電圧を検出し、前記第１の電極付き基板上に配設された電極間に、隣接する電極が受けた加圧入力に伴って発生する振動を吸収する振動吸収体が配設されている。【選択図】  図３Ａ
2015215306.tif 000002
【特許請求の範囲】
【請求項１】
加圧入力を電圧に変換する圧電フィルム；並びに
前記電圧を取り出すための電極が複数配設されている第１及び第２の電極付き基板を備え、
前記第１及び第２の電極付き基板で、前記圧電フィルムを挟持することにより、前記第１の電極付き基板が受けた力により発生した電圧を検出する感圧センサであって、
前記第１の電極付き基板上に配設された電極間に、隣接する電極が受けた加圧入力に伴って発生する振動を吸収する振動吸収体が配設されている感圧センサ。
【請求項２】
前記振動吸収体により、前記第１の電極付き基板と前記圧電フィルムとが固着されている請求項１に記載の感圧センサ。
【請求項３】
前記振動吸収体とこの振動吸収体に隣接する電極との間に、空隙が設けられている請求項１又は請求項２に記載の感圧センサ。
【請求項４】
前記振動吸収体は、台座とこの台座上に設けられた振動吸収本体とから構成されている請求項１〜請求項３のいずれか１項に記載の感圧センサ。
【請求項５】
前記台座は、前記電極を構成する導電性材料と同じ導電性材料で構成されている請求項４に記載の感圧センサ。
【請求項６】
前記振動吸収本体は、スクリーン印刷により形成されたものである請求項４又は請求項５に記載の感圧センサ。
【請求項７】
前記第１及び第２の電極付き基板を構成する各基板は、プラスチックフィルムである請求項１〜請求項６のいずれか１項に記載の感圧センサ。
【請求項８】
基板上に積層された導電性材料の一部を除去することにより、電極及び台座を形成する工程；
振動吸収本体を前記台座上に印刷して振動吸収体を形成する工程；並びに
前記振動吸収体及び前記電極が形成された基板を、圧電フィルムに当接する工程
を含む、
感圧センサの製造方法。
【発明の詳細な説明】
【技術分野】
【０００１】
本発明は、加圧入力により電圧を発生する圧電フィルムを用いた感圧センサ及びその製造方法に関する。
【背景技術】
【０００２】
人体の一部や物体などの接触、押圧又は摺動等（以下、「加圧」という）による入力に対して電圧を発生する圧電フィルムを用いた感圧センサは、一般に、圧電フィルムの両面に電極を配設し、該電極を保護するプラスチックフィルムを積層した積層体として用いられている。このような感圧センサは、加圧入力に起因する応力、振動により圧電フィルムを挟んで対面する電極間に発生する電位差（以下、「電圧」という）を検知することで、加圧入力を検知するセンサとして作用する。
【０００３】
このような感圧センサとしては、例えば、米国特許第６９９６８９１号明細書（特許文献１）に、圧電フィルムの両面に、電極パターンを形成するアルミニウムフィルムが積層された基板を、該電極パターンが圧電センサフィルム側となるように積層した感圧センサ（特許文献１の図１）及びその製造方法が開示されている。
【０００４】
上記構成の感圧センサは、電極パターンを形成した基板と接着剤を塗布した圧電フィルムとを、圧電フィルムの両面に電極パターンが配設されるように、ロールｔｏロールで貼りあわせることにより製造することが開示されている（特許文献１の図３）。かかる製造方法から、特許文献１に開示の感圧センサは、厚み方向に切断した断面図である図１に示すように、圧電フィルム１と電極２及び基板３が接着剤４により固定一体化された構成となっている。
【０００５】
また、特開２０１４−２２５８３号公報（特許文献２）には、基板となるプラスチックフィルム上に電極用導電層が積層されている積層体の前記電極用導電層に電極パターンを打ち抜き、電極パターン以外の部分を除去することにより電極パターンを作成し、電極パターンが設けられた基板と圧電フィルムとを重ねあわせ、あるいは貼着する製造方法が開示されている。
【０００６】
一方、圧電フィルムと電極とが貼着されていない感圧センサとして、例えば、特開２０１３−１７８２４１号公報（特許文献３）に、圧電フィルムを挟持している２枚の基板フィルムの周縁部を貼着（特許文献３の図６）、あるいは圧電フィルムの周縁をビス止め（特許文献３の図１）することにより圧電フィルムと基板とを固定することが開示されている。
【先行技術文献】
【特許文献】
【０００７】
【特許文献１】米国特許第６９９６８９１号明細書
【特許文献２】特開２０１４−２２５８３号公報
【特許文献３】特開２０１３−１７８２４１号公報
【発明の概要】
【発明が解決しようとする課題】
【０００８】
基板、電極、圧電フィルムが接着剤により固定一体化された感圧センサの場合、圧電フィルムは接着剤を介して基板及び電極に固定されていることから、圧電フィルムの変形が抑制されるため、本来の応力に対する変位が得られにくく、また、接着剤層により加圧入力に起因する応力や振動のエネルギーが吸収されるため、期待される大きさの電圧が発生できない。このことは、感圧センサの感度向上の妨げとなる。
【０００９】
一方、圧電フィルムと電極パターンが設けられた基板との固定を、圧電フィルムの周縁部等の、感圧センサとして加圧入力を受けるエリア（以下、「感圧エリア」という）以外の部分を貼着することにより、あるいは圧電フィルムの周縁部等と基板とをビス等の固定手段で固定する方法によれば、基板、電極、及び圧電フィルムの固定一体化を回避できる。
【００１０】
周縁部等だけを固定することにより、圧電フィルムに電極を固定化した感圧センサの場合、例えば、スマートフォンや端末型画像装置に用いられるタッチパネルに適用しようとすると、固定されていない部分が大きくなるため、感圧エリアにおける圧電フィルムと電極との間隔や接触状態のバラツキが大きくなり、ひいては安定的な感度が得られないといった新たな問題の原因となる。
【００１１】
本発明は、このような事情に鑑みてなされたものであり、その目的とするところは、高感度で且つ感度のバラツキが小さい感圧センサを提供すること及び該感圧センサの製造方法を提供することにある。
【課題を解決するための手段】
【００１２】
周縁部等だけを固定する方法を採用した感圧センサについて、特に、感圧エリア内に複数の電極を有するものについて本発明者らが種々検討したところ、各電極に対して同様の加圧及び加圧の解除（以下、「加圧入力」という）を行ったときに発生する電圧信号（時間-電位信号）の波形や大きさが、電極の位置によって異なることが判明した。図２Ａに示す厚み方向の断面模式図のように、圧電フィルム１の周縁部のみが固定される場合（図２Ａの態様では接着剤４により固定）、電極と圧電フィルムとの間隔が変化しやすく、しかも電極ごとに間隔の変化の程度にバラツキがあるため、図２Ｂに示す厚み方向の断面模式図のように、加圧入力時に周縁部が固定端となり加圧位置が山部又は谷部となるような振動（図２Ｂ）や定常波が生じ得る。その結果、同一の加圧入力であっても加圧位置によって異なる波形の電圧信号が発生し、ひいては発生電圧がばらつくと本発明者らは考えた。
また電極を有する基板が圧電フィルムに固定されていないため、加圧入力による振動が基板や圧電フィルムを通じて容易に伝播され、加圧入力された位置だけでなくその周囲の電極でも大きな電圧が発生して、入力位置の検出感度、すなわち解像度が低くなることも判明した。
そこで、本発明者らは、感圧センサの高い感度を維持しつつ、感度のバラツキを低減し、解像度を向上させるためには、電極以外の部分において電極と圧電フィルムとの相対位置を保持し、振動の伝播を抑えて加圧入力位置以外での発生電圧を抑制することが有効であると考え、かかる手段を検討して本発明を完成した。
【００１３】
本発明の一態様に係る感圧センサは、加圧入力を電圧に変換する圧電フィルム；並びに
前記電圧を取り出すための電極が複数配設されている第１及び第２の電極付き基板を備え、
前記第１及び第２の電極付き基板で、前記圧電フィルムを挟持することにより、前記第１の電極付き基板が受けた力により発生した電圧を検出する感圧センサであって、
前記第１の電極付き基板上に配設された電極間に、隣接する電極が受けた加圧入力に伴って発生する振動を吸収する振動吸収体が配設されている。
【００１４】
また、本発明の一態様に係る感圧センサの製造方法は、基板上に積層された導電性材料の一部を除去することにより、電極及び台座を形成する工程；振動吸収本体を前記台座上に印刷して振動吸収体を形成する工程；並びに前記振動吸収体及び前記電極が形成された基板を、圧電フィルムに当接する工程を含む。
【発明の効果】
【００１５】
上記発明によれば、入力位置以外で電圧が発生することを抑制できるので、入力位置の検出感度が高く、発生電圧のバラツキが小さい感圧センサを提供することが可能となる。
【図面の簡単な説明】
【００１６】
【図１】従来の感圧センサの一実施形態を示す構成模式図である。
【図２Ａ】感圧センサにおける問題点を説明するための模式図である。
【図２Ｂ】感圧センサにおける問題点を説明するための模式図である。
【図３Ａ】本発明の第一実施形態に係る感圧センサを示す模式図である。
【図３Ｂ】本発明の第一実施形態に係る感圧センサのＰ−Ｐ’断面模式図である。
【図４】振動吸収体の配置パターン例を示す模式図である。
【図５】本発明の第二実施形態に係る感圧センサを示す模式図である。
【図６Ａ】第二実施形態で用いられている第１の電極付き基板の平面図模式図である。
【図６Ｂ】第二実施形態で用いられている第２の電極付き基板の平面図模式図である。
【図７】実施例で用いた測定サンプルの電極・台座パターンを示す模式図である。
【図８】実施例で用いた測定サンプルの電極番号を説明するための模式図である。
【図９】実施例で行った測定方法を説明するための模式図である。
【図１０】電極位置と発生電圧の測定結果を示すグラフである。
【図１１】電圧波形の測定結果を示す図である。
【発明を実施するための形態】
【００１７】
以下に本発明の実施の形態を説明するが、今回、開示された実施の形態は、すべての点で例示であって制限的なものではないと考えられるべきである。本発明の範囲は、特許請求の範囲によって示され、特許請求の範囲と均等の意味および範囲内でのすべての変更が含まれることが意図される。
【００１８】
本発明の一態様に係る感圧センサは、加圧入力を電圧に変換する圧電フィルム；並びに
前記電圧を取り出すための電極が複数配設されている第１及び第２の電極付き基板を備え、
前記第１及び第２の電極付き基板で、前記圧電フィルムを挟持することにより、前記第１の電極付き基板が受けた力により発生した電圧を検出する感圧センサであって、
前記第１の電極付き基板上に配設された電極間に、隣接する電極が受けた加圧入力に伴って発生する振動を吸収する振動吸収体が配設されている。
電極間に配設された振動吸収体が、加圧入力により発生する振動が周囲に伝播することを抑制し、入力位置に対応する電極以外の位置で発生する電圧を低減することができる。
【００１９】
前記振動吸収体により、前記第１の電極付き基板と前記圧電フィルムとが固着されていることが好ましい。
前記第１の電極付き基板と圧電フィルムとが振動吸収体により固着されることで、第１の電極付き基板と圧電フィルムとの間隔や接触状態のバラツキを小さくできるとともに、加圧入力により発生する第１の電極付き基板の振動に起因して電極-圧電フィルム間距離が変化することによるバラツキを抑制できる。特に、この効果は、加圧入力時の圧電フィルムの歪みが大きく、電極-圧電フィルム間距離が変化しやすい多孔型圧電フィルムで有効である。電極と圧電フィルムとの距離の変化によっても電圧が発生するため、電極付き基板と圧電フィルムとを固着することで、電極-圧電フィルム間距離の変化に基づく発生電圧のバラツキを抑制できる。さらに、電極付き基板と圧電フィルムとを固着し、両者が離間することを抑制することで、固着しない場合に比べて基板やフィルム面内の振動の伝播を抑制できるというメリットもある。
【００２０】
前記振動吸収体とこの振動吸収体に隣接する電極との間に、空隙が設けられていることが好ましい。
振動吸収体と電極との間に空隙（空気層）を設けることで、振動吸収体と空気層との境界部で弾性波が絶縁されることから、加圧入力により発生する振動が周囲の電極に伝播することを抑制できる。また前記空隙は、振動吸収体の設置位置のクリアランスとしての役割を有するので、振動吸収体の設置がずれた場合でも電極を覆うような不良品の発生を防止でき、歩留りが向上する。
【００２１】
前記振動吸収体は、台座とこの台座上に設けられた振動吸収本体とから構成されていることが好ましい。
台座を設けることで、電極と電極の間の狭い凹部に振動吸収体を設置することを回避できるため、形成方法の幅が広がる。また、振動吸収本体の厚みを薄くすることで、印刷等による形成を可能にする。すなわち、使用できる振動吸収体の種類、振動吸収体の形成方法の汎用性が広がる。
【００２２】
前記台座は、前記電極を構成する導電性材料と同じ導電性材料で構成されていることが好ましい。
電極と台座を同じ導電性材料で構成することにより、電極形成時に台座も形成することができ、製造工程の簡略化を図ることができる。
【００２３】
前記振動吸収本体は、スクリーン印刷により形成されたものであることが好ましい。
スクリーン印刷により、電極間間隙という微細な部分に、高精度で振動吸収体を配置することが可能となる。スクリーン印刷は原理的に凹部への印刷は不得手であるが、台座を設けることにより容易に高精度な印刷が可能となる。振動吸収本体は、電極付き基板と圧電フィルムとを固着する接着剤としての役割を果たすことが望ましく、スクリーン印刷は他の汎用印刷法に比べて厚膜の印刷が可能であることから、印刷であっても、所定の厚みを有する振動吸収本体を形成することができるので、信頼性の高い接着が可能となる。
【００２４】
前記第１及び第２の電極付き基板を構成する各基板は、プラスチックフィルムであることが好ましい。
基板がプラスチックフィルムであることにより、可撓性を有する感圧センサを得ることができる。
【００２５】
また、本発明の一態様に係る感圧センサの製造方法は、複数の電極が配列された電極付き基板で圧電フィルムが挟持されていて、前記電極間間隙に、台座と振動吸収本体との組み合わせである振動吸収体が配設されている感圧センサに好適な製造方法であって、基板上に積層された導電性材料の一部を除去することにより、電極及び台座を形成する工程；振動吸収本体を前記台座上に印刷して振動吸収体を形成する工程；並びに前記振動吸収体及び前記電極が形成された基板を、圧電フィルムに当接する工程を含む。
電極と台座を１つの工程で作製することができるので、製造の簡便化が図られるとともに、振動吸収本体の厚みを薄くできるので、印刷により振動吸収本体を形成することができる。
【００２６】
〔第１実施形態〕
本発明の第１実施形態に係る感圧センサ１０について、図３に基づいて説明する。
図３Ａは、感圧センサ１０の厚み方向断面図であり、図３Ｂは、図３Ａの感圧センサ１０のＰ−Ｐ’で切断した断面を電極が配設している方向からみた図である。
【００２７】
感圧センサ１０は、電極１２，１２・・・が基板１３上にマトリックス状に配設されている第１の電極付き基板１４、及び電極１２’，１２’・・・が基板１３’上にマトリックス状に配設されている第２の電極付き基板１４’で、圧電フィルム１１を挟持した積層構造を有している。圧電フィルム１１をはさんで対向している電極対１２，１２’により、圧電フィルムに生じる電位差が検出される。
【００２８】
電極付き基板１４，１４’は、各基板上の電極１２、１２’が電極対を形成するように、圧電フィルム１１を挟持するとともに、各基板１３、１３’の周縁部を貼着することにより、電極付き基板１４，１４’と圧電フィルム１１とが積層固定されている。また、電極１２，１２間、電極１２’，１２’間には、空隙１６を有するように振動吸収体１５が設けられている。
【００２９】
圧電フィルム１１は、加圧入力を受けた際、その振動が圧電フィルム１１に伝わることで歪を生じるもので、圧電フィルム１１に生じた歪により、圧電フィルム１１を挟んで相対する電極対１２，１２’間に圧電フィルム１１が受けた歪の大きさに応じた電圧が発生する。
【００３０】
圧電フィルム１１としては、特に限定せず、圧電フィルムとして従来より公知の、分子構造に起因して圧電性を発現するポリフッ化ビニリデン（ＰＶＤＦ）フィルムやポリ乳酸フィルム、静電荷の保持と変形容易性に起因して圧電性を発現する延伸多孔質ポリプロピレンフィルム等の多孔質ポリオレフィンフィルム、多孔質フッ素樹脂フィルムなどの多孔型圧電フィルムを用いることができる。これらのうち、厚み方向の圧電性に優れることから多孔型圧電フィルムが好ましく用いられる。多孔型圧電フィルムは小さな力でも容易に変形、大きな歪みを生じるため高感度なセンサを形成できる。多孔型圧電フィルムは、加圧入力時の圧電フィルムの歪みが大きいため電極-圧電フィルム間距離が変化しやすいが、この電極と圧電フィルム間の距離の変化によって電圧が発生し、加圧入力に対する発生電圧に影響する。この点、電極付き基板と圧電フィルムとが固着されている本実施形態では、電極-圧電フィルム距離の変化のバラツキが抑制され、その結果、電極-圧電フィルム間距離の変化に基づく発生電圧のバラツキを抑制できる。
【００３１】
多孔型圧電フィルムとしては、多孔質フッ素樹脂系フィルムが耐熱性、耐薬品性等の点から好ましく用いられ、特に多孔質ポリテトラフルオロエチレンフィルムが好ましく用いられる。
【００３２】
基板１３，１３’としては、電極を安定的に設けることができる絶縁基板、プラスチックフィルムなどを用いることができる。好ましくは、加圧入力に応じて入力点で撓みやすい可撓性あるプラスチックフィルムである。例えばポリステル、ポリエチレン、ポリイミドなどのプラスチックフィルムを好ましく用いることができる。耐熱性、絶縁性の観点で特に好ましくはポリイミドフィルムである。
【００３３】
電極１２、１２’は、導電性を有する物質、例えば、アルミニウムや銅などの金属、ＩＴＯなどの透明な導電性金属酸化物で構成される。基板１３、１３’上に形成される電極パターンは、基板の一面に、銅箔又はアルミニウム箔等の金属箔を貼着し、エッチングにより形成してもよいし、特許文献２で提案されているように、打ち抜きにより形成してもよい。
【００３４】
振動吸収体１５は、同一基板上に形成されている電極間（電極１２、１２間又は電極１２’、１２’間）に、隙間１６をあけて設けられる。図３Ｂの態様では、各電極１２間に設けられる振動吸収体１５は連続していて、基板１３表面に井桁状に設けられている。振動吸収体１５は、基板が受けた加圧入力により生じる基板の振動を吸収し減衰することができる。
【００３５】
電極の厚みをｔとして、振動吸収体１５の厚みは（ｔ−３）μｍ以上であることが好ましく、より好ましくは電極の厚みｔ以上である。感圧センサ１０の組み立て時に、基板１３と圧電フィルム１１とを押圧により積層する際、振動吸収体を圧電フィルムが強く押し付けられるため圧電フィルムに固着しやすいためである。
また、振動吸収体１５の厚みは（ｔ＋４０）μｍ以下であることが好ましい。振動吸収体１５が分厚くなりすぎると、振動吸収体１５に基づき、電極-圧電フィルム間距離のバラツキが大きくなる原因となるためである。
【００３６】
振動吸収体１５としては、振動を吸収できるものであればよく、例えば、ゴム、ゲル等の振動吸収物質、粘着剤、接着剤等の接着性物質などを用いることができる。これらのうち、接着フィルムや液状接着剤等の接着性物質が好ましく用いられる。電極付き基板と圧電フィルムとの固定状態を安定化できるという利点を有するためである。接着フィルムは、プレスやエッチング等で電極部分をくりぬいた接着フィルムを電極付き基板１４、１４’に積層することで振動吸収体を低コストで高い位置精度、厚み精度で形成できるため好ましい。液状接着剤は、所望部位に塗布、印刷することができるため好ましい。
【００３７】
振動吸収体１５として用いる接着剤、接着フィルムは、良好な接着性、柔軟性を与える熱可塑性樹脂と耐熱性を付与する熱硬化樹脂を含むものが望ましい。熱可塑性樹脂としては、アクリル樹脂、ポリアミド樹脂、ポリスチレン樹脂、ポリエステル樹脂、ポリカーボネート樹脂、ポリフェニレンオキシド樹脂、ポリフェニレンスルフィド樹脂、ポリスルホン樹脂、ポリエーテルイミド樹脂、ポリエーテルエーテルケトン樹脂、ポリアセタール樹脂、ケトン樹脂等が挙げられるが、柔軟性や基材との密着性、耐熱性の観点でアクリル樹脂、ポリアミド樹脂、ポリエステル樹脂が好ましい。熱硬化成分としては特にエポキシ樹脂、フェノール樹脂、ウレタン樹脂、メラミン樹脂、不飽和ポリエステル樹脂、架橋型シリコーン等が好ましく、その中でも耐熱性と接着性の観点でエポキシ樹脂が好ましい。
【００３８】
尚、第１電極付基板１４と第２電極付き基板１４’の構成は等しく、振動吸収体１５の配設も等しいことから、感圧センサ１０のＱ−Ｑ’で切断した場合の断面図及び説明は省略する。
【００３９】
電極付き基板と圧電フィルムとを振動吸収体で固定できる構成は、周縁部だけ固定した感圧センサと比べて、加圧入力に伴って生じ得る、図２Ｂに示すような基板の変形を抑えることができる。すなわち、加圧入力に応じて基板フィルムが振動する場合であっても、振幅の増大を防止し、電極と圧電フィルム間の相対位置の変化のバラツキを抑制できる。
【００４０】
振動吸収体１５を基板１３，１３’に配設する方法は、振動吸収体１５の種類、振動吸収体１５の形態、電極間距離に応じて、適宜選択できる。例えば、振動吸収体を液状接着剤で構成する場合、塗布、印刷、エッチングなどにより基板１３，１３’上に配設することができる。
同一の基板に配設される電極間の距離が２ｍｍ以下の場合、印刷により振動吸収体を形成することが好ましい。フィルム幅２ｍｍ以下の接着フィルムでは剛性が不足して変形しやすくなるため、位置精度よく積層することが困難となるためである。
同一基板に配設される電極間距離が０．２ｍｍ以下の場合、接着フィルムを全面に積層、もしくは液状接着性物質を全面に塗工、乾燥した後に、感光材料の積層と露光現像により必要部分を残す方法により振動吸収体を形成することが好ましい。当該方法であれば、高精度に配設位置を調節することができる。
【００４１】
また、振動吸収体１５として接着剤、接着フィルムを用いる場合、半硬化状態で圧電フィルムと積層し、積層後に硬化することが望ましい。半硬化状態では高い柔軟性、変形性を有するので圧電フィルムや基板の表面凹凸を埋める様に濡れ広がることができ、完全硬化後は、耐熱性等の信頼性が高い、接着力の強い接着を実現できるからである。
【００４２】
以上のような構成を有する第１の実施形態の感圧センサ１０では、図３Ａに示す白抜き矢印方向の加圧入力により、圧電フィルム１１が変形し、これに伴って、入力位置に最近接の電極対１２，１２’間に最も大きな電圧が生じる。かかる電圧を検出することで、加圧入力の大きさ、入力位置を検出できる。一方、加圧入力位置周辺においても、加圧入力に伴う振動が伝播する。しかしながら、本実施形態の感圧センサ１０では、振動吸収体１５が、発生する振動の減衰作用を有し、また、振動吸収体と電極の間に空隙１６を設けることにより、空気層と電極１２との境界部分及び空気層と振動吸収体１５との境界部分でも振動を減衰させるため、入力位置より離れた位置での圧電フィルム１１の変形を防止できる。さらに、振動吸収体１５を構成する接着剤で圧電フィルム１１と電極付き基板１４とが固定されている場合、加圧入力により発生する電極付き基板１４自体の振動を防止することができる。このことは、入力位置では圧電フィルム１１の圧電定数に基づく発生電圧が得られ、周辺の電極対で発生する電圧を抑制することができる。したがって、上記構成を有する感圧センサ１０において、加圧入力位置、大きさに対して検出される電圧信号は、狭い範囲に限定されるので、解像度が向上する。
【００４３】
また、本実施形態の感圧センサ１０では、電極１２と圧電フィルム１１とは、接着剤などで接合されていないので、接着剤による加圧エネルギーの吸収ロスが無い点で有利である。さらに、加圧入力、すなわち加圧の負荷時から解除時にわたって電極１２と圧電フィルム１１との相対位置、接触状態が変化するため、加圧入力位置で瞬間的なパルス電圧が発生するとともに、負荷される加圧入力位置を鋭敏に検出することができるというメリットがある。特に、振動吸収体１５を構成する接着剤で圧電フィルム１１と電極付き基板１４とを固定している場合、定常波の発生を抑制することにより、加圧入力及び解除時に生じる振動を早期に減衰できるので、加圧入力により生じる電圧は、鋭敏なパルス波として得ることができる。
【００４４】
なお、図３に示す形態の感圧センサ１０では、振動吸収体１５は、電極間に連続的に設けられていたが、本願発明の感圧センサはこれに限定されない。例えば、図４に示す感圧センサ１０’のように、電極１２，１２間又は１２’，１２’間に個別の振動吸収体１５’を独立的に点在させてもよい。
【００４５】
また、感圧センサ１０では各電極１２の形状は正方形であるが、これに限定せず、円形、多角形など適宜選択できる。また、電極１２はマトリクス状に設けられているが、電極パターンは、任意に設計することができる。検知しようとする電圧が効率よく取り出せるように電極対が形成されていればよく、例えば、基板に、帯状の電極を所定間隔をあけてストライプ状に配設してもよい。この場合、圧電フィルムを挟んで帯状電極が交差するように組み合わせることで、各交差位置が一対の電極対を形成することになる。
【００４６】
接合部１９は電極付き基板１４，１４’の接合部分であり、通常、基板１３，１３’の周縁に沿って設けられる。接合方法は特に限定せず、ビス留め、接着剤による接着、加熱や加圧による接合などを用いることが出来る。
尚、振動吸収体を接着剤で構成する場合、振動吸収体により基板と圧電フィルムが固定されるので、周縁部における圧電フィルムと電極付き基材フィルムとの接合は、必須ではない。
【００４７】
〔第２実施形態〕
本発明の第２実施形態に係る感圧センサについて、図５及び図６に基づいて説明する。第２実施形態の感圧センサ２０では、振動吸収体として、台座と振動吸収本体との組み合わせを用いており、さらに電極の一部が台座を兼ねている。
【００４８】
図５は感圧センサ２０を厚み方向に切断した断面図である。図６Ａは、感圧センサ２０で用いられている第１の電極付き基板２４の平面図、図６Ｂは、感圧センサ２０で用いられている第２の電極付き基板２４’の平面図である。感圧センサ２０は、図６Ａに示す第１の電極付き基板２４と、同様の構成を有する図６Ｂに示す第２の電極付き基板２４’とで、圧電フィルム２１を挟持したものであり、図５の断面図において各電極付き基板２４，２４’は、図６ＡのＸ−Ｘ’切断面、図６ＢのＹ−Ｙ’切断面が表されている。
【００４９】
第１（又は第２）の電極付き基板２４（又は２４’）は、基板２３上に、帯状の電極２２（２２’）が所定間隔をあけて並行に配設されたものであり、帯状の電極２２，２２間（２２’，２２’間）に、台座２７（２７’）と該台座２７（２７’）上に設けられた振動吸収本体２８ａ（２８ａ’）の組み合わせからなる振動吸収体２５，２５・・・（２５’，２５’・・・）が、所定間隔をおいて、帯状電極２２（２２’）とほぼ平行に並設されている。また、帯状の電極２２（２２’）上には、振動吸収体２５（２５’）の１つ置きに対応する位置に、振動吸収本体２８ｂ（２８ｂ’）が、電極２２間（２２’間）に配設された振動吸収体２５（２５’）の列とほぼ並行になるように設けられている。
【００５０】
第１の電極付き基板２４と第２の電極付き基板２４’とは、それぞれの帯状の電極２２，２２’が直交するように対向させて圧電フィルム２１を挟持している。帯状電極２２と帯状電極２２’とが、圧電フィルム２１をはさんで交差している部分が、検知される電圧を取り出すための一対の電極対を形成している。つまり、帯状電極２２（２２’）において、振動吸収本体２８ｂが設けられていない部分２２ａ（２２ａ’）が検知される電圧を取り出すための電極として作用する。一方、帯状電極２２（２２’）において、振動吸収本体２８ｂが設けられている部分では、台座として作用している。
【００５１】
台座２７，２７‘の構成材料は特に限定しないが、電極２２，２２’と同一材料で構成することが好ましい。台座を電極と同じ導電性材料で構成することにより、台座と電極とを同一工程で形成することができる。例えば、基板に積層した金属箔から、台座及び電極パターンをエッチング又は打ち抜くことにより、同時に形成することができるので、感圧センサの製造工程において、台座の形成のための追加工程は不要となる。
【００５２】
振動吸収本体２８ａ，２８ｂ，２８ａ’，２８ｂ’は、いずれも第１実施形態で振動吸収体として例示したような材料で構成することができる。すなわち、振動吸収物質や接着性物質などを用いることができ、これらのうち、特に接着剤や接着フィルムが好ましく用いられる。
振動吸収本体を接着剤で構成する場合、台座上に、接着剤を塗布又は印刷することにより振動吸収本体を配設することができる。この場合、接着剤の厚みは２μｍ以上１００μｍ以下とすることが好ましく、より好ましくは５μｍ以上５０μｍ以下、更に好ましくは７μｍ以上３０μｍ以下である。厚みが薄すぎると、強い接着力が得られず、また繰り返しの応力、振動の負荷、ヒートサイクル等の環境負荷に対する接着信頼性が低下するためである。また厚過ぎると、厚みがばらついたり、滲みが発生し易くなり精度良い印刷が困難になるためである。
【００５３】
印刷方法としては、２μｍ以上の厚膜印刷が可能な印刷方法を用いることができ、具体的にはスクリーン印刷、凹版印刷、インクジェット印刷を採用でき、その中でも印刷精度がよく、低コストで、5μm以上の厚膜印刷が可能なスクリーン印刷が好ましい。振動吸収本体２８ａ，２８ａ’はそれぞれ台座２７，２７’上に、振動吸収本体２８ｂ，２８ｂ’はそれぞれ帯状電極２２，２２’上に形成されることから、厚みを適度に薄くできる。従って、台座と振動吸収本体の組合せからなる振動吸収体を用いることにより、スクリーン印刷等の印刷での形成時に厚みのバラツキを小さくでき、ひいては圧電フィルムと電極との距離の均質性を向上できる。
【００５４】
尚、台座２７（２７’）上に設けられる振動吸収本体２８ａ（２８ａ’）は、台座２７（２７’）の載置面からはみ出さないように、好ましくは載置面積よりも小さくなるように設けることが好ましい。
【００５５】
感圧センサ２０では、第１の電極付き基板２４と第２の電極付き基板２４’とが、基板２３，２３’の周縁に沿って設けられる接合部２９により接合固定されている。接合部２９における接合方法としては、ビス留め、接着剤による接着、加熱や加圧による接合などを採用できる。第１の電極付き基板２４、圧電フィルム２１、及び第２の電極付き基板２４’の積層構造は、接着剤で構成される振動吸収本体２８ａ，２８ｂ（２８ａ’，２８ｂ’）により、圧電フィルム２１と電極付き基板２４，２４’とが貼着固定されているので、接合部２９による接合はなくてもよい。
【００５６】
なお、感圧センサ２０では、第１の電極付き基板２４と第２の電極付き基板２４’とが同様の構成を有する電極付き基板を用いたが、電極パターンや振動吸収体の構成が異なる電極付き基板を組み合わせて用いてもよい。例えば、一方の電極付き基板に形成される電極パターンはマトリックス状とし、他方の電極付き基板上に形成される電極パターンは帯状電極をストライプ状に配置したものとしてもよい。また例えば、一方の電極付き基板に形成される電極パターンはマトリックス状とし、他方の電極付き基板上に形成される電極パターンは１枚の大きい電極のみを配置したものでもよい。さらに、振動吸収体についても、一方の基板に設けられる振動吸収体を台座と振動吸収本体の組み合わせとし、他方の基板に設けられる振動吸収体を第１実施形態で例示した振動吸収体としてもよい。
【００５７】
なお、感圧センサ２０では台座２７（２７’）の形状は正方形であるが、これに限定せず、円形、多角形など適宜選択できる。
【００５８】
また、帯状電極の一部を台座として兼用する態様において、感圧センサ２０では帯状電極上に設けられる振動吸収本体２８ｂ（２８ｂ’）は帯状電極間に配設された振動吸収体２５（２５’）の１つ置きに対応する位置に設けられているが、圧電フィルムを挟持する２つの帯状電極の交差している部分（検知される電圧を取り出すための電極対を形成する部分）を除いた範囲に振動吸収本体が設けられていればよく、帯状電極間に配設された振動吸収体のサイズや配置に応じて、例えば２つ置きや３つ置きなど、適宜選択出来る。
【００５９】
〔感圧センサの製造方法〕
振動吸収体として、台座及び振動吸収本体との組み合わせを使用し、さらに前記台座として、電極を構成する導電性材料と同じ導電性材料で構成される感圧センサは、以下の製造方法により好ましく製造することができる。
【００６０】
すなわち、基板上に積層された導電性材料の一部を除去することにより、前記電極及び前記台座を形成する工程；
前記振動吸収本体を前記台座上に印刷して前記振動吸収体を形成する工程；及び
前記振動吸収体及び前記電極が形成された基板を、前記圧電フィルムに当接する工程
を含む。
【００６１】
基板と導電性材料との積層方法は特に限定しないが、基板に導電性材料が蒸着されていてもよいし、銅箔、アルミニウム箔などが貼着されていてもよい。基板上に積層された導電性材料の一部を除去する方法は、特に限定しないが、エッチング、打ち抜きなどにより行うことができる。
形成される電極パタ―ン及び台座は、第１実施形態で示すようなマトリックス状の電極と電極間間隙に連続的に形成される台座であってもよいし、マトリックス状に配列された電極と電極間間隙に台座が点在するように形成してもよい。また、第２実施形態で示すように、帯状電極と、電極間間隙に台座が点在するように形成してもよい。また、第２実施形態のように電極の一部が台座を兼ねていてもよい。
【００６２】
台座上に振動吸収本体を印刷する方法としては、スクリーン印刷、インクジェット印刷が挙げられ、好ましくはスクリーン印刷である。印刷により振動吸収本体を形成する場合、振動吸収本体が点在する印刷パターンが好ましい。連続的な広範囲にわたる印刷パターンだと印刷端部と中央部で厚みの差が出やすいためである。
【００６３】
以上のようにして振動吸収体が形成された電極付き基板で、圧電フィルムを挟持する。圧電フィルムは、接着剤で構成される振動吸収本体で貼着固定されるので、周縁部における圧電フィルムと電極付き基材フィルムとの接合工程は、必須ではない。
【実施例】
【００６４】
本発明を実施するための最良の形態を実施例および比較例により説明する。実施例および比較例は、本発明の範囲を限定するものではない。
【００６５】
〔実施例〕
厚さ２５μｍのポリイミド樹脂に厚さ１８μｍの銅箔を積層したＣＣＬ（Ｃｏｐｐｅｒ  Ｃｌａｄ  Ｌａｍｉｎａｔｅ）の銅箔をエッチングして、図７に示すように、一辺（Ｌ）３ｍｍの正方形の電極３２を間隔（ｄ）２ｍｍでマトリックス状に配置するとともに、一辺（ｌａ）１ｍｍの正方形の台座３７ａ及び一辺（ｌｂ）１．５ｍｍの正方形の台座３７ｂ、並びに図示しない細配線及び外部端子を形成した。このとき、電極３２は、細配線により外部端子と電気的に接続されている。さらに、台座３７ａ，３７ｂ上に、接着剤をスクリーン印刷により印刷して、厚み１５μｍの振動吸収本体３８ａ（Φａ＝０．８ｍｍ），３８ｂ（Φｂ＝１．２ｍｍ）を形成した。振動吸収体３５ａは台座３７ａと振動吸収本体３８ａとから、振動吸収本体３５ｂは台座３７ｂと振動吸収本体３８ｂとから構成される。
【００６６】
なお、振動吸収本体として用いた接着剤の組成は、以下のとおりである。
アクリル樹脂（新中村工業製「バナレジンＧＨ−７１９０」）：      １００質量部，
エポキシ樹脂（ＤＩＣ社「ＥＰＩＣＬＯＮ−Ｎ７４０」）：        ３４．０質量部，
シリカ微粉末（日本アエロジル社「ＡＥＲＯＳＩＬＲＸ３００」）：  ３．８質量部，
消泡剤（ビックケミージャパン社「ＢＹＫ−５４」）：              ２．０質量部，
酸無水物（日本理化社「リカシッドＭＨ−７００」）：            ３０．１質量部，
イミダゾール（四国化成社「２Ｅ４ＭＺ」）：                      ３．８質量部，
ジエチレングリコールモノメチルエーテルアセテート：              １４０質量部。
【００６７】
このようにして作製した電極付き基板２枚で、多孔質ポリテトラフルオロエチレン製の圧電フィルム（厚み：２４μｍ、圧電定数ｄ３３：１００ｐＣ／Ｎ）を、基板上の電極が互いに対向するように挟持し、かかる状態で熱プレス（１．４ＭＰａ、１３０℃で１５分間）により積層して感圧センサを作製した。作製した感圧センサにおいて、電極が縦４個×横４個となる範囲を選び、その内の７個を図８に示すように電極Ａ〜Ｇと名付けた。
【００６８】
〔比較例〕
振動吸収体を形成しなかった以外は実施例と同様にして感圧センサを作製した。
【００６９】
〔電極位置と発生電圧との関係〕
上記で作製した実施例及び比較例の感圧センサを測定サンプルとして、圧電フィルムの両面に形成された電極対に配線された外部端子を電気的に接続し、図９に示すように、重さ０．３ｇの鉄球を２０ｃｍの高さから電極Ｄの位置に向けて自由落下させた。落下により発生した電圧を、各電極位置Ａ〜Ｇにて測定した。各測定サンプルにおける電極位置と発生電圧の関係を示すグラフを図１０に示す。なお鉄球落下により発生する電圧の「最大値-最小値」をその測定での測定値とし、鉄球落下による測定を5回行い、平均値を電極の発生電圧値とした。図１０中、実施例サンプルの結果は実線で示し、比較例サンプルの結果は破線で示す。
【００７０】
図１０より、鉄球の落下地点に該当する電極位置Ｄに発生した電圧は、実施例及び比較例で同程度であった。しかしながら、落下地点以外の電極位置Ａ、Ｂ、Ｃ、Ｅ、Ｆの発生電圧は、いずれも実施例の方が低かった。特に、実施例では、隣接（Ｃ、Ｅ）と周辺位置（Ａ、Ｂ、Ｆ、Ｇ）の発生電圧にはほとんど差がなく、落下地点において特異的に電圧が発生した。一方、比較例では、隣接（Ｃ、Ｅ）または周辺位置（Ｂ、Ｆ）においても、落下地点の１/２以上に相当する電圧が発生していた。これらの結果から、実施例では、振動吸収体が、落下地点で受ける加圧入力に伴う振動を吸収し、隣接及び周辺での圧電フィルムの歪を抑制できたと考えられる。
【００７１】
〔電圧信号波形の測定〕
図９に示すように、実施例及び比較例の測定サンプルをセットし、電極位置Ａ，Ｄ，Ｆそれぞれについて、鉄球を自由落下させたときの発生電圧の波形をオシロスコープにより測定した。結果を図１１に示す。
【００７２】
図１１から、実施例では、電極位置Ａ，Ｄ，Ｆのいずれにおいても、落下時に瞬間的に電圧が発生していることを示す、パルス波形が得られた。一方、比較例では、いずれも落下時から電圧が発生する立ち上がり、逆電圧が発生するまでの立ち下がりの変化はゆるやかであり、発生電圧も電極位置により異なっていた。比較例では、圧電フィルムと基板とが、電極位置で固定されていないので、加圧入力を受けた位置の周辺を含む広範囲で変形し、基板が振動したため、立ち上がり時間、立ち下がり時間が長くなったと考えられる。また、発生電圧差のバラツキは、電極と圧電フィルムの実質的空間距離のバラツキによるのではないかと推測される。
【産業上の利用可能性】
【００７３】
本発明によれば、感圧センサとして、加圧入力位置の解像度、入力の大きさの検知感度、時間分解能などを高めることができるので、センサやタッチパッド、タッチパネルなどに好適に利用できる。
【符号の説明】
【００７４】
１０，１０’，２０  感圧センサ
１，１１，２１  圧電フィルム
２，１２，１２’，３２  電極
３  基板
１３，２３  第１基板
１３’，２３’  第２基板
４  接着剤
１４，２４  第１の電極付き基板
１４’，２４’  第２の電極付き基板
１５，１５’，２５，２５’，３５ａ，３５ｂ  振動吸収体
１６，１６’，２６  空隙
２２，２２’  帯状電極
２７，２７’，３７ａ，３７ｂ  台座
２８ａ，２８ｂ，２８ａ’，２８ｂ’，３８ａ，３８ｂ  振動吸収本体
１９，２９  接合部
【図１】
2015215306.tif 000003
【図２Ａ】
2015215306.tif 000004
【図２Ｂ】
2015215306.tif 000005
【図３Ａ】
2015215306.tif 000006
【図３Ｂ】
2015215306.tif 000007
【図４】
2015215306.tif 000008
【図５】
2015215306.tif 000009
【図６Ａ】
2015215306.tif 000010
【図６Ｂ】
2015215306.tif 000011
【図７】
2015215306.tif 000012
【図８】
2015215306.tif 000013
【図９】
2015215306.tif 000014
【図１０】
2015215306.tif 000015
【図１１】
2015215306.tif 000016